(57)【要約】 【課題】  従来の反射型プラズマディスプレイパネルの欠点を考慮に入れ、データ電極の配置構造を改善し、プラズマディスプレイパネルにおいて、大きい輝度領域を形成する。【解決手段】  上記課題を解決するために、本発明は、密閉型の隔壁で形成される、カラーピクセルを配置するためのセル領域と、カラーピクセルをデルタ状に配置するように形成された隔壁構造と、列方向に列方向に、行方向のセルピッチ長さと同じ間隔で配置される複数の維持電極と、行隔壁の壁面の真下を通り、かつセル領域の下へ延伸するように配置される複数のデータ電極とからなるプラズマディスプレイパネルであって、デュアルスキャンギャップは、行方向において隣接するデータ電極との間隙に形成され、既定のギャップの長さを有するものとした。【選択図】      図５（ａ）             
2005129506.tif 000002
【特許請求の範囲】
【請求項１】
密閉型の隔壁で形成される、カラーピクセルを配置するためのセル領域と、カラーピクセルをデルタ状に配置するように形成された隔壁構造と、列方向に行方向のセルピッチ長さと同じ間隔で配置される複数の維持電極と、行隔壁の壁面の真下を通りかつセル領域の下へ延伸するように配置される複数のデータ電極とからなるプラズマディスプレイパネルであって、
既定のギャップ長さを有するデュアルスキャンギャップには、行方向の前記データ電極の間に形成される密閉型の隔壁を、複数備えるプラズマディスプレイパネル。
【請求項２】
第一ギャップは、セルピッチの長さの４５％より小さく、デュアルスキャンギャップの一部に含まれる、請求項１に記載のプラズマディスプレイパネル。
【請求項３】
第一ギャップは、セルピッチの長さの４０％より小さく、デュアルスキャンギャップの一部に含まれる、請求項１に記載のプラズマディスプレイパネル。
【請求項４】
デュアルスキャンギャップは、ギャップ長さがセルピッチの長さより短く、ギャップ内に１つの列隔壁が存在している、請求項１に記載のプラズマディスプレイパネル。
【請求項５】
データ電極はＴ字形または十字形で、幅広部分はセル領域の下に配置される、請求項１に記載のプラズマディスプレイパネル。
【請求項６】
データ電極の幅広部分は、長方形である、請求項５に記載のプラズマディスプレイパネル。
【請求項７】
デュアルスキャンギャップは、ギャップ長さがセルピッチ長さより長く、ギャップ内に１つの列隔壁が存在している、請求項１に記載のプラズマディスプレイパネル。
【請求項８】
デュアルスキャンギャップは、ギャップ長さがセルピッチ長さより長く、ギャップ内に２つの列隔壁が存在している、請求項１に記載のプラズマディスプレイパネル。
【請求項９】
密閉型隔壁構造を有するプラズマディスプレイパネルの製造方法であって、
セル領域に複数のサブピクセルセルを構成するステップ、デルタ状に配置されたサブピクセルセルによってカラーピクセルを定義するステップ、列方向で、既定のセルの長さで間隔を開けた複数の維持電極を、間隔を空けて配置するステップ、隔壁の壁面の真下を通り、かつセル領域の下へ延伸するように複数のデータ電極複数のデータ電極を設置するステップを含み、
既定のギャップ長さを有するデュアルスキャンギャップは、行方向において隣接するデータ電極との間隙に形成され、且つ、列隔壁とデータ電極の間に形成される、密閉型で構成された複数の隔壁を備えるプラズマディスプレイパネルの製造方法。
【請求項１０】
ギャップ長さは、セルピッチの長さの４５％より小さい、請求項９に記載のプラズマディスプレイパネルの製造方法。
【請求項１１】
ギャップ長さは、セルピッチの長さの４０％より小さい、請求項９に記載のプラズマディスプレイパネルの製造方法。
【請求項１２】
デュアルスキャンギャップは、ギャップ長さがセルピッチ長さより短く、ギャップ内に１つの列隔壁が存在している、請求項９に記載のプラズマディスプレイパネルの製造方法。
【請求項１３】
データ電極はＴ字形または十字形で、幅広部分はセル領域の下に配置される、請求項９に記載のプラズマディスプレイパネルの製造方法。
【請求項１４】
デュアルスキャンギャップは、ギャップ長さがセルピッチの長さより長く、ギャップ内に１つの列隔壁が存在している、請求項９に記載のプラズマディスプレイパネルの製造方法。
【発明の詳細な説明】
【技術分野】
【０００１】
本発明は、プラズマディスプレイパネル関し、データ電極の配置構造を改善し、大きな発光領域を形成することに関するものである。本発明に基づけば、データ電極の配置構造が改善されたプラズマディスプレイパネルは、デュアルスキャンギャップ領域の放電誤差を防ぐことができる。
【背景技術】
【０００２】
プラズマディスプレイパネル（ＰＤＰ）は、電子工業の中でますます普及してきている。以下、従来のプラズマディスプレイパネルについて説明する。図１（ａ）、１（ｂ）は従来の反射型プラズマディスプレイパネルの構成を示す斜視図および断面図である。図１（ａ）のプラズマディスプレイパネルは、第一基板１０ａの下面には複数の透明電極３２とそれに積層付設されたバス電極３４（以下電極群と呼ぶ）が平行に付設されている。また、透明電極１２とバス電極１４は、誘電体層３６によって被覆され、さらにその上にＭｇＯ等の保護層で被覆される。
【０００３】
第二基板１０ｂの上には、複数のストライプ状のデータ電極１８と、そのデータ電極１８の間に並行して隔壁２０が設けられ、保護層と隔壁２０で形成された放電空間内に蛍光体層２２が形成される。この空間にガスが封入し、電圧を印加すると放電して、このガスから生じる紫外光が蛍光層２２を照射し、蛍光を発する。一方、第二ガラス基板１０ｂ上には、電極群と垂直に交差するデータ電極１８が付設され、データ電極１８は誘電体層によって被覆されている。この誘電体層の上には隔壁２０がデータ電極１８と平行に設けられ、データ電極１８は２つの隔壁５１の中間に付設される。さらに、隔壁２０の壁面と誘電体層の上面にはＲＧＢ蛍光体２２がストライプ状に塗布されている。第一ガラス基板１０ａと第二ガラス基板１０ｂは封着され、第一ガラス基板１０ａと第二ガラス基板１０ｂの間隙にガスが封入されている。また、封着された第一ガラス基板と第二ガラス基板中に形成される電極間に電圧を印加することで放電が発生する。放電の発生から生じた紫外光が蛍光体に照射する結果、可視光を発生させる。
【０００４】
各バス電極１４は、各透明電極１２の上に完全に付着されている。なお、領域Ａは明領域で、領域Ｂは暗領域である。
【０００５】
しかしながら、従来技術（例えば特許文献１）における隔壁構造では、以下に示すような不具合があった。従来技術においては、図２に示すように、隔壁２０は、縦方向にストライプ状に配列されており、バス電極１４に直交している。隔壁２０と平行に、等間隔に設置されている複数のデータ電極１８に隣接する隔壁２０との間に設置されている。放電（明）域２６は、データ電極１８に隣接する維持電極と隔壁とによって形成される一組のＲＧＢセルとの間の交差部分で生じている。非放電（暗）域２７は、隣接する放電域２６との間にあるため、行方向において隣接するデータ電極の間隙にデュアルスキャンギャップ２８を形成する。このデュアルスキャンギャップ領域に基づく暗領域により、発光域が狭くなり、放電誤差が生じることとなる。
【特許文献１】米国特許出願５９６７８７２号明細書
【発明の開示】
【発明が解決しようとする課題】
【０００６】
本発明は、以上のような背景をもとに、従来の反射型プラズマディスプレイパネルの欠点を改善することを目的として行われた。
【課題を解決するための手段】
【０００７】
上記課題を解決するために、本発明は、密閉型の隔壁で形成されるカラーピクセルを配置するためのセル領域と、カラーピクセルをデルタ状に配置するように形成された隔壁構造と、列方向に、行方向のセルピッチ長さと同じ間隔で配置される複数の維持電極と、行隔壁の壁面の真下を通り、かつセル領域の下へ延伸するように配置される複数のデータ電極とからなるプラズマディスプレイパネルであって、デュアルスキャンギャップは、行方向において隣接するデータ電極との間隙に形成され、既定のギャップの長さを有するものとした。また、放電誤差を無くすために、デュアルスキャンギャップのギャップ長さのセルピッチ長さに対する比率を定めた。
【０００８】
また、本発明における、プラズマディスプレイパネルの製造方法は、セル領域に複数のサブピクセルセルを構成するステップ、デルタ状に配置されたサブピクセルセルによってカラーピクセルを定義するステップ、列方向で、既定のセルの長さで間隔を開けた複数の維持電極を間隔を空けて配置するステップ、隔壁の壁面の真下を通り、かつセル領域の下へ延伸するように複数のデータ電極複数のデータ電極を設置するステップを含み、既定のギャップの長さを有するデュアルスキャンギャップは、行方向において隣接するデータ電極との間隙に形成されるものとした。
【０００９】
さらに、本発明では、データ電極とサブピクセルとの重複領域を増加させることによって放電誤差をなくし、デュアルスキャンギャップのギャップ長さのセルピッチ長さに対する比率を決める方法を備えるプラズマディスプレイパネルを提供するものとした。
【発明の効果】
【００１０】
本発明に基づく、プラズマディスプレイパネルによれば、データ電極の配置構造を改善することで、より大きい輝度領域を形成することができ、デュアルスキャンギャップ領域の放電誤差をなくすことができる。
【発明を実施するための最良の形態】
【００１１】
本発明に係るプラズマディスプレイ装置の好ましい実施形態について説明する。
【実施例】
【００１２】
図４（ａ）、４（ｂ）には、密閉型の隔壁構造とデルタ状に配列されたサブピクセルによって構成されたプラズマディスプレイパネルを示している。本図に示すように、隔壁４０は、行隔壁４２と列隔壁４４により多角形または長方形の密閉状の隔壁を形成し、列隔壁４４と行隔壁４２が交叉してできるセル領域には、サブピクセルセル４６が形成される。そして、サブピクセルセル４６の中に、赤・緑・青（ＲＧＢ）の蛍光体層を形成する。そして、デルタ型に配置された赤・緑・青のサブピクセルセル４６によって、一組のＲＰＧカラーピクセルが形成される。このカラーピクセルの組合せは、反転させて連続的に配列することができる。上記のような隔壁構造は、暗領域を排除し、照射領域と開口率を増加することによって発光率を増加することができる。
【００１３】
図５（ａ）は、本発明にかかるプラズマディスプレイパネルにおいて、データ電極の配置の一例を示している。本実施例によれば、行隔壁４２は、データ電極５０に位置合せされ、列隔壁４４は、バス電極５２’と透明電極５２”を含む維持電極５２に位置合せされる。データ電極５０は、行隔壁４２と同じ幅で、さらにサブピクセルセルの下まで延伸していることが好ましい。間隔を空けて設置されているデータ電極５０間隔はデュアルスキャンギャップ（ｇ）５４となる。図示するように、各データ電極５０は、一部が行隔壁４２に重なり合っており、重ならない部分は、行隔壁４２の末端部から伸びてサブピクセルセル４６内に突き出している。そしてこのようにデータ電極５０の一部分がセル４６内まで延伸していることにより、データ電極５０の一端部と隣り合う２つの列隔壁４４との間には、それぞれ特定の距離、つまり、データ電極５０の一端部から列隔壁４４までの間にできる間隔であるギャップ長さ５６’と、列隔壁４４からセル４６へ突き出す部分である延伸長さ５６”が生じることとなる。デュアルスキャン領域の画像のちらつきを避けるためには、ギャップ長さ５６’は、０．４５ｐよりも小さい長さであることが好ましい。なお、ｐは、セルピッチの長さ５８または相隣接する列隔壁４４間の距離（ｉ．ｅ．，ｄ＜０．４５ｐ）である。さらに、アドレスエラーを回避するため、ギャップの長さ５６’は、セルピッチの長さ５８の４０％よりも小さい長さであり、延伸長さ５６”は０．４５ｐよりも小さい長さであることが望ましい。
【００１４】
図６は、本発明のプラズマディスプレイパネルにおいて、第二実施例に基づく、データ電極の配置について示している。図６（ａ）に示すように、各データ電極は、幅狭部分５０’と幅広部分５０”を有するＴ字形または十字形とすることができる。つまり、各データ電極は、行隔壁の下に幅狭部分５０’を、セル領域の中心部の下に幅広部分５０”を有する。セル領域下に存在するデータ電極の幅広部分５０”は、アドレス指定能力すなわち、書き込み動作の良し悪しを決定する要因となる。図６（ｂ）に示すように、この幅広部分５０”の幅を広くすればするほど、アドレス指定能力は向上する。
【００１５】
図７に本発明に基づいたプラズマディスプレイパネルの第三の実施例を図解している。この実施例では、第二デュアルスキャンギャップ７４は、行方向に隣接するデータ電極５０の間に形成される。第二デュアルスキャンギャップ７４は、セルピッチの長さ５８より大きく、２つの列隔壁を越えて延伸する。画像のちらつきを避けるために、ギャップの長さ（ｄ）は、セルピッチの長さ（ｐ）の４５％より小さく（ｉ．ｅ．，ｄ＜０．４５ｐ）維持される。
【００１６】
図８は、本発明に基づいたプラズマディスプレイパネルの第四の実施例を図解している。この実施例では、第三デュアルスキャンギャップ８４は、行方向に隣接するデータ電極５０の間に形成される。第三デュアルスキャンギャップ８４は、セルピッチの長さ５８より大きく、１つの列隔壁を越えて延伸する。画像のちらつきを避けるために、ギャップの長さ（ｄ）は、セルピッチの長さ（ｐ）の４５％より小さく（ｉ．ｅ．，ｄ＜０．４５ｐ）維持される。
【図面の簡単な説明】
【００１７】
【図１（ａ）】ストライプ状に形成された隔壁（ｓｔｒｉｐ  ｔｙｐｅ  ｂａｒｒｉｅｒ  ｒｉｂｓ）を備える従来技術のプラズマディスプレイパネルを示している。
【図１（ｂ）】ストライプ状に形成された隔壁（ｓｔｒｉｐ  ｔｙｐｅ  ｂａｒｒｉｅｒ  ｒｉｂｓ）を備える従来技術のプラズマディスプレイパネルを示している。
【図２】図１（ａ）、１（ｂ）に示された従来のプラズマディスプレイパネルの構造を示している。
【図３】従来のプラズマディスプレイパネルの中に生じるデュアルスキャンギャップを示している。
【図４（ａ）】本発明の基づいた多角形又は長方形の密閉型隔壁構造とデルタ状サブピクセル配置を備えたプラズマディスプレイパネルを示している。
【図４（ｂ）】本発明の基づいた多角形又は長方形の密閉型隔壁構造とデルタ状サブピクセル配置を備えたプラズマディスプレイパネルを示している。
【図５（ａ）】本発明のプラズマディスプレイパネルにおいて、第一実施例に基づく、データ電極の配置について示している。
【図５（ｂ）】本発明のプラズマディスプレイパネルにおいて、第一実施例に基づく、別のデータ電極の配置について示している。
【図６（ａ）】本発明のプラズマディスプレイパネルにおいて、第二実施例に基づく、データ電極の配置について示している。
【図６（ｂ）】本発明のプラズマディスプレイパネルにおいて、第二実施例に基づく、別のデータ電極の配置について示している。
【図７】第三実施例に基づいて配置されたデータ電極と維持電極を備えた、本発明にかかるプラズマディスプレイパネルを示している。
【図８】第四実施例に基づいて配置されたデータ電極と維持電極を備えた、本発明にかかるプラズマディスプレイパネルを示している。
【符号の説明】
【００１８】
１０ａ  第一基板
１０ｂ  第二基板
１２    透明電極
１４    バス電極
１６    誘電体層
１８    データ電極
２０    隔壁
２２    蛍光層
２６    放電域
２７    非放電域
２８    デュアルスキャンギャップ
３２    第一グループデータ電極
３４    第二グループデータ電極
Ａ      明領域
Ｂ      暗領域
４０    隔壁
４２    行隔壁
４６    サブピクセルセル
５０    データ電極
５２    維持電極
５４    デュアルスキャンギャップ
５６    第一ギャップの長さ
５８    セルピッチの長さ
７４    第二デュアルスキャンギャップ
８４    第三デュアルスキャンギャップ
【図１（ａ）】
2005129506.tif 000003
【図１（ｂ）】
2005129506.tif 000004
【図２】
2005129506.tif 000005
【図３】
2005129506.tif 000006
【図４（ａ）】
2005129506.tif 000007
【図４（ｂ）】
2005129506.tif 000008
【図５（ａ）】
2005129506.tif 000009
【図５（ｂ）】
2005129506.tif 000010
【図６（ａ）】
2005129506.tif 000011
【図６（ｂ）】
2005129506.tif 000012
【図７】
2005129506.tif 000013
【図８】
2005129506.tif 000014